(57)【要約】【課題】  携帯端末を用いてＣＭ放映中に簡単に詳細情報を入手できるようにすることを課題とする。【解決手段】  ＣＭコンテンツには、リンク先を示すＱＲコードが含まれる。ＤＢ５には、リンク先に対応付けてＣＭコンテンツに関連する詳細情報を記憶しておき、ＣＭコンテンツの放映によりテレビ装置ＴＶにリンク先を示すＱＲコードを表示させ、そのＱＲコードに基づいて携帯電話１殻のサーバ４にリンクし、携帯電話１に対してＣＭの詳細情報を表示する。【選択図】  図１
2005333402.tif 000002
【特許請求の範囲】
【請求項１】
ネットワークを通じて携帯端末との間で通信する情報提供システムであって、
リンク先に対応付けてＣＭコンテンツに関連する詳細情報を記憶する記憶手段と、
前記ＣＭコンテンツには、リンク先を示す画像情報が含まれており、前記ＣＭコンテンツの放映によりテレビ装置にリンク先を示す画像情報を表示させ、当該画像情報に基づいて携帯端末からのリンクを許可するリンク制御手段と、
前記リンク制御手段でリンクしてきた携帯端末に対して前記記憶手段に記憶される詳細情報を提示する提示手段と、
を備えたことを特徴とする情報提供システム。
【請求項２】
前記詳細情報には、ＣＭ出演アーティストのコンサート、ＣＤなどの情報が含まれており、さらに、前記提示手段の提示にしたがって前記コンサート、ＣＤなどの情報に基づく電子商取引を手続きする手段を有したことを特徴とする請求項１に記載の情報提供システム。
【請求項３】
前記画像情報は、２次元コードであることを特徴とする請求項１または２に記載の情報提供システム。
【請求項４】
ネットワークを通じて携帯端末に対して情報を提供する情報提供システムであって、
ＣＭコンテンツには、リンク先を示す画像情報が含まれており、リンク先に対応付けてＣＭコンテンツに関連する詳細情報をメモリに記憶しており、前記ＣＭコンテンツの放映によりテレビ装置にリンク先を示す画像情報を表示させ、当該画像情報に基づいて携帯端末からのリンクを許可する第１ステップと、
前記第１ステップでリンクしてきた携帯端末に対して前記メモリに記憶される詳細情報を提示する第２ステップと、
を含んだことを特徴とする情報提供方法。
【請求項５】
前記詳細情報には、ＣＭ出演アーティストのコンサート、ＣＤなどの情報が含まれており、さらに、前記第２ステップの提示にしたがって前記コンサート、ＣＤなどの情報に基づく電子商取引を手続きする第３ステップを含んだことを特徴とする請求項４に記載の情報提供方法。
【請求項６】
前記画像情報は、２次元コードであることを特徴とする請求項４または５に記載の情報提供方法。
【請求項７】
ネットワークを通じて携帯端末に対して情報を提供するサーバのコンピュータにより実行可能な情報提供プログラムであって、
前記コンピュータに、
ＣＭコンテンツには、リンク先を示す画像情報が含まれており、リンク先に対応付けてＣＭコンテンツに関連する詳細情報をメモリに記憶しており、前記ＣＭコンテンツの放映によりテレビ装置にリンク先を示す画像情報を表示させ、当該画像情報に基づいて携帯端末からのリンクを許可する第１ステップと、
前記第１ステップでリンクしてきた携帯端末に対して前記メモリに記憶される詳細情報を提示する第２ステップと、
を実行させることを特徴とする情報提供プログラム。
【請求項８】
前記詳細情報には、ＣＭ出演アーティストのコンサート、ＣＤなどの情報が含まれており、さらに、前記第２ステップの提示にしたがって前記コンサート、ＣＤなどの情報に基づく電子商取引を手続きする第３ステップを含んだことを特徴とする請求項７に記載の情報提供プログラム。
【請求項９】
前記画像情報は、２次元コードであることを特徴とする請求項７または８に記載の情報提供プログラム。
【発明の詳細な説明】
【技術分野】
【０００１】
本発明は、たとえば、情報提供システム、情報提供方法および情報提供プログラムに関するものである。
【背景技術】
【０００２】
インターネットを通じてパーソナルコンピュータ（ＰＣ）を用いてコマーシャル（ＣＭ）、アーティストなどの情報を入手することは一般に行われている。最近は、携帯電話からインターネットにアクセスしてＷＥＢ閲覧することも可能であり、電子商取引として、コンサートチケット、映画チケット、ＣＤなどの商品などの購入手続きまでを完了させることができる。
【０００３】
たとえば携帯電話にＱＲコードのような２次元コードを撮像してＵＲＬを取得する機能さえあれば、携帯電話を用いて簡単にＷＥＢ接続することができる。その一例として、広告媒体に印刷されたＱＲコードを携帯電話で撮影し、ＱＲコードが示す接続情報に基づいて情報センタにアクセスし、広告に関する情報を入手するス方が提案されている（特許文献１）。
【０００４】
【特許文献１】特開２００２−１１８６８０号公報
【発明の開示】
【発明が解決しようとする課題】
【０００５】
上述したように従来例においては、広告媒体がある場所に行くか、雑誌などを購入してその雑誌に掲載される広告から情報センタにアクセスすることが条件であった。ところが、顧客においては、テレビのＣＭを視聴しているときに、そこで宣伝される商品やサービスについて関心を抱いたり、出演アーティストに興味をもつことが多い。このように、テレビの影響力がとくに大きいことは事実である。
【０００６】
そこで今日、テレビを視聴しながら、ＣＭ放映中に簡単に詳細情報を入手できる仕組みが期待されていた。
【０００７】
本発明の目的は、携帯端末を用いてＣＭ放映中に簡単に詳細情報を入手することが可能な情報提供システム、情報提供方法および情報提供プログラムを提供する点にある。
【課題を解決するための手段】
【０００８】
上述した課題を解決し、上記目的を達成するため、請求項１の発明に係る情報提供システムは、ネットワークを通じて携帯端末との間で通信する情報提供システムであって、リンク先に対応付けてＣＭコンテンツに関連する詳細情報を記憶する記憶手段と、前記ＣＭコンテンツには、リンク先を示す画像情報が含まれており、前記ＣＭコンテンツの放映によりテレビ装置にリンク先を示す画像情報を表示させ、当該画像情報に基づいて携帯端末からのリンクを許可するリンク制御手段と、前記リンク制御手段でリンクしてきた携帯端末に対して前記記憶手段に記憶される詳細情報を提示する提示手段と、を備えたことを特徴とするものである。
【０００９】
請求項１の発明は、請求項２のように、前記詳細情報には、ＣＭ出演アーティストのコンサート、ＣＤなどの情報が含まれており、さらに、前記提示手段の提示にしたがって前記コンサート、ＣＤなどの情報に基づく電子商取引を手続きする手段を有してもよい。
【００１０】
請求項１または２の発明は、請求項３のように、前記画像情報は、２次元コードであってもよい。
【００１１】
また、請求項４の発明に係る情報提供方法は、ネットワークを通じて携帯端末に対して情報を提供する情報提供システムであって、ＣＭコンテンツには、リンク先を示す画像情報が含まれており、リンク先に対応付けてＣＭコンテンツに関連する詳細情報をメモリに記憶しており、前記ＣＭコンテンツの放映によりテレビ装置にリンク先を示す画像情報を表示させ、当該画像情報に基づいて携帯端末からのリンクを許可する第１ステップと、前記第１ステップでリンクしてきた携帯端末に対して前記メモリに記憶される詳細情報を提示する第２ステップと、を含んだことを特徴とするものである。
【００１２】
請求項４の発明は、請求項５のように、前記詳細情報には、ＣＭ出演アーティストのコンサート、ＣＤなどの情報が含まれており、さらに、前記第２ステップの提示にしたがって前記コンサート、ＣＤなどの情報に基づく電子商取引を手続きする第３ステップを含んでもよい。
【００１３】
請求項４または５の発明は、請求項６のように、前記画像情報は、２次元コードであってもよい。
【００１４】
また、請求項７の発明に係る情報提供プログラムは、ネットワークを通じて携帯端末に対して情報を提供するサーバのコンピュータにより実行可能な情報提供プログラムであって、前記コンピュータに、ＣＭコンテンツには、リンク先を示す画像情報が含まれており、リンク先に対応付けてＣＭコンテンツに関連する詳細情報をメモリに記憶しており、前記ＣＭコンテンツの放映によりテレビ装置にリンク先を示す画像情報を表示させ、当該画像情報に基づいて携帯端末からのリンクを許可する第１ステップと、前記第１ステップでリンクしてきた携帯端末に対して前記メモリに記憶される詳細情報を提示する第２ステップと、を実行させることを特徴とするものである。
【００１５】
請求項７の発明は、請求項８のように、前記詳細情報には、ＣＭ出演アーティストのコンサート、ＣＤなどの情報が含まれており、さらに、前記第２ステップの提示にしたがって前記コンサート、ＣＤなどの情報に基づく電子商取引を手続きする第３ステップを含んでもよい。
【００１６】
請求項７または８の発明は、請求項９のように、前記画像情報は、２次元コードであってもよい。
【発明の効果】
【００１７】
本発明によれば、携帯端末を用いてＣＭ放映中に簡単に詳細情報を入手することが可能な情報提供システム、情報提供方法および情報提供プログラムを得られるという効果を奏する。
【発明を実施するための最良の形態】
【００１８】
以下、添付図面を参照して本発明に係る一実施の形態を詳述する。図１は、本発明の一実施の形態における、全体システムを示す図である。このシステムでは、サーバ４と、サーバ４に接続されたＤＢ５により、インターネット３および移動体通信網２を介して、携帯電話（代表として携帯電話１を示す）の利用者に、ＣＭの詳細情報を提供する。携帯電話１においては、テレビ装置ＴＶにＣＭ放映中に表示される２次元コード（一例としてＱＲコード）を撮像し、リンク先を示す情報すなわちＵＲＬを解析してサーバ４にアクセスする仕組みとなる。
【００１９】
サーバ４は、リンク先ＵＲＬに対応付けてＣＭコンテンツに関連する詳細情報（たとえば、ＣＭ情報５１、アーティスト情報５２）をＤＢ５に記憶させる構成である。ここで、ＣＭコンテンツには、リンク先を示す画像情報としてＱＲコードが含まれている。ＣＭコンテンツの放映によりテレビ装置ＴＶには、リンク先を示すＱＲコードが表示されるので、サーバ４においては、このＱＲコードに基づいて携帯電話１からのリンクを許可することになる。サーバ４においては、リンクしてきた携帯電話１に対してＤＢ５に記憶されるアーティスト情報５１を提示することになる。
【００２０】
携帯電話１は、通常の携帯電話機能の他に、ディスプレイ１１、カメラ１２、通信ＡＰ（アプリケーション）１３、撮像ＡＰ（アプリケーション）１４などを備え、ＣＭ画像からＣＭコンテンツに含まれるＱＲコードＣＩＮＦを撮像し、そこからＵＲＬを導き出してサーバ４にアクセスする機能を有している。また、携帯電話１においては、通信ＡＰ１３のブラウザ機能によりＷＥＢ閲覧を行うことが可能である。
【００２１】
また、サーバ４は、本発明の通信を担当する通信ＡＰ（アプリケーション）４１を備えている。ＤＢ５は、ＣＭ情報５１、アーティスト情報５２を備えている。なお、サーバ４では、会員登録や会員認証などを行うことを可能にし、たとえばオンラインでの認証や決済の支援を可能にしている。このため、図示せぬが、会員の氏名、住所、メールアドレス、ユーザ固有の識別情報などをＤＢ５に登録しているものとする。
【００２２】
携帯電話１の例としての構成を、図２に、より詳細に示す。内部システムバス２６に、通信処理部１５、音声処理部１７、ＣＰＵ２０、ＲＯＭ２１、ＲＡＭ２２、キー群２５、ディスプレイ１１、カメラ１２などを接続させ、データ、アドレス信号、制御信号などを伝送させることで各種の処理を実現する構成である。
【００２３】
通信処理部１５は、アンテナ１６に接続され、アンテナ１６を介して移動体通信網２と通信を行うものである。この通信処理部１５により、音声通話やサーバ４との通信を実現することができる。
【００２４】
音声処理部１７は、音声出力のためのスピーカ１８、音声入力のためのマイク１９をそれぞれ接続させており、受話時や送話時の音声処理を行うものである。
【００２５】
ＣＰＵ２０は、携帯電話１全体の制御をＲＯＭ２１に格納されたＯＳにしたがって行うものである。ＲＯＭ２１は、あらかじめインストールされているＯＳなどのプログラムを格納している。ＣＰＵ２０は、携帯用の各種アプリケーション（たとえばＪＡＶＡ（登録商標）アプリケーション）により本実施の形態による処理などを制御する。また、このＣＰＵ２０は、キー群２５からの入力を受け付けて各種の処理を実行させたり、各種の処理に応じてディスプレイ１１への表示を制御したりする。
【００２６】
ＲＡＭ２２は、本実施の形態による通信を実現するためのアプリケーション１３、撮像処理のための撮像ＡＰ（アプリケーション）１４、着信メロディなどのコンテンツや撮像結果を格納するためのコンテンツ格納エリア２３および各種処理を行うためのワークエリア２４等を備えている。キー群２５は、電話番号、アドレスなどの入力を行ったり、後述するサービス選択実行時の入力を行ったりするための各種キーを備えている。ディスプレイ１１は、撮像画像を表示したり、操作用の案内画面を表示したり、電話やメールの機能を使うときの一般的な表示画面を表示したりするものである。
【００２７】
サーバ４は、たとえば図３に示したように、インターネット３に接続され、インターネット３を介して携帯電話との通信を制御したり、インターネット３に接続される各種端末との通信を制御する通信制御部４３、サーバ全体の制御を司る制御部４４、通信アプリケーション４１を記憶するとともにワークエリア４７などの領域を有する記憶部４６、ＤＢ５と接続するためのＤＢインタフェース４５などを備えている。
【００２８】
ここで、図４および図５を用いてＤＢ５について説明する。図４には、ＣＭ情報５１が示されており、図５には、アーティスト情報５２が示されている。ＣＭ情報５１の場合には、ユーザが携帯電話１からアクセスするリンク先のＵＲＬが記憶されており、各ＵＲＬにはＣＭの識別情報を示すＣＭＩＤ、そのＣＭタイトルが対応付けて記憶される。ここで、ＵＲＬに記憶されるＣＭの詳細情報については説明を省略する。
【００２９】
アーティスト情報52の場合には、ＣＭＩＤに対応させてアーティストの識別情報を示すアーティストＩＤ、アーティストの詳細情報を格納しているリンク先を示すＵＲＬが記憶されている。ここで、ＵＲＬに記憶されるアーティストの詳細情報については説明を省略する。まず、ＣＭの詳細情報がＵＲＬにしたがって携帯電話1に提供され、そのページであーティストの詳細情報を得るためのリンク先を示すＵＲＬが提供される仕組みである。
【００３０】
図６、図７は、当該実施の形態の一実施例における、携帯電話１並びにサーバ４の処理および通信の内容を示すフローチャートであり、図８は、この通信における携帯電話１側の画面遷移を示すものである。
【００３１】
ユーザ（視聴者）がテレビ番組を視聴している段階でカメラ１２を起動しているものとする（ステップＳ１０１）。この状況下で画面がＣＭに切り替わると、ユーザのカメラ操作により画像入力が行われる。このとき、図８（Ａ）に示したように、ユーザはフレーム１０１内にＱＲコード画像１０２が収まるようにセットする。その結果、ＱＲコードＣＩＮＦ（図１参照）が取り込まれる（ステップＳ１０２）。これにより、入力されたＱＲコードは解析され、ＵＲＬが取得される（ステップＳ１０３）。ディスプレイ１１では、解析中は図８（Ｂ）のように表示され、図８（Ｃ）のようにＵＲＬ１０３が表示される。画面下段には、ジャンプボタン１０４が表示され、そのジャンプボタン１０４の操作によりＵＲＬ１０３にリンクさせることができる。
【００３２】
このようにしてＵＲＬに基づいてサイトへのアクセスが行われる（ステップＳ１０３）。サーバ４においては、アクセスが受け付けられると、ＷＥＢページが生成される（ステップＳ２０１）。ＷＥＢページは、図４に示したＣＭ情報５１に基づいて生成される。
【００３３】
ＷＥＢページは、サーバ４より携帯電話１に送信され（ステップＳ２０２）、携帯電話１のディスプレイ１１に受信された後、表示される（ステップＳ１０４）。ＷＥＢページは、ＣＭ情報５１に基づくため、ＣＭタイトルが表示される（図８（Ｄ）参照）。ここで、ユーザの操作により確認ボタン１０５が操作されると（ステップＳ１０５）、サーバ4に対して確認操作が送信される。サーバ４においては、確認操作が受け付けられることで（ステップＳ２０３のＹＥＳルート）、さらに詳細な情報としてアーティスト情報５２に基づくＷＥＢページが生成され、携帯電話１に送信される（ステップＳ２０４）。なお、確認以外の操作については、他の処理となる。
【００３４】
携帯電話１では、アーティスト情報５２に基づく情報が受信され、表示される（ステップＳ１０６）。たとえば、アーティストに関するさらなる情報を入手できるように選択肢１０６を設けて、番組への出演予定、コンサート情報、趣味などを選択可能に表示してもよい（図８（Ｅ）参照）。ユーザがコンサート情報を選択した場合には、たとえば図８（Ｆ）に示したように、コンサート予定とチケット購入ボタン１０６とを表示して購入手続きを踏めるようにしてもよい。この場合には、電子商取引の処理が実行される。
【００３５】
たとえば、ユーザの操作により図８（Ｆ）の状態でチケット購入ボタン１０６が操作された場合には（ステップＳ３０１）、サーバ４においてチケット購入に係る詳細情報の入手として判断される（ステップＳ４０１のＹＥＳルート）。ここでは、ＤＢ５が参照されてまずユーザの識別情報から会員か否かの判断が下され、会員の場合にチケット購入に係る電子商取引の処理が携帯電話１から送られてくる入力操作に応じて実行される（ステップＳ４０３、ステップＳ３０２）。サーバ４から携帯電話１に取引の画面が送信されるので、ユーザは各種の入力操作を行うことで手続きを完了させることができる。
【００３６】
取引が成立すると、携帯電話１に対する終了通知が作成され、送信される（ステップＳ４０４）。携帯電話１においては、サーバ４より受信された終了通知に基づく画面が形成される（ステップＳ３０３）。
【００３７】
以上説明したように本実施の形態によれば、携帯端末を用いてＣＭ放映中に簡単に詳細情報を入手することが可能である。
【産業上の利用可能性】
【００３８】
本発明は、情報提供システム、情報提供方法および情報提供プログラムを製造する産業で利用される。
【図面の簡単な説明】
【００３９】
【図１】本発明の一実施形態における、全体システムを示す図である。
【図２】本発明の一実施形態における携帯端末の構成を示す図である。
【図３】本発明の一実施形態におけるサーバの構成を示す図である。
【図４】本発明の一実施形態におけるデータベース（ＤＢ）の一テーブルの内容を示す図である。
【図５】本発明の一実施形態におけるデータベース（ＤＢ）の別のテーブルの内容を示す図である。
【図６】本発明の一実施例における、携帯電話（携帯端末）並びにサーバの処理および通信の内容を示すフローチャートである。
【図７】図６の続きを示すフローチャートである。
【図８】本発明の一実施例における、画面遷移を示す図である。
【符号の説明】
【００４０】
１  携帯電話
１１  ディスプレイ
１２  カメラ
１３  通信ＡＰ
１４  撮像ＡＰ
１５  通信処理部
１６  アンテナ
１７  音声処理部
１８  スピーカ
１９  マイク
２０  ＣＰＵ
２１  ＲＯＭ
２３  コンテンツ格納エリア
２４  ワークエリア
２５  キー群
４  サーバ
４１  通信ＡＰ
４３  通信制御部
４４  （全体）制御部
４５  ＤＢインタフェース
５１  ＣＭ情報
５２  アーティスト情報
【図１】
2005333402.tif 000003
【図２】
2005333402.tif 000004
【図３】
2005333402.tif 000005
【図４】
2005333402.tif 000006
【図５】
2005333402.tif 000007
【図６】
2005333402.tif 000008
【図７】
2005333402.tif 000009
【図８】
2005333402.tif 000010